(57)【特許請求の範囲】
【請求項１】
予め、記憶されている、中央に１個配置された、任意の階層に位置づけられたデータを表示する中央表示区域、及び、該中央表示区域の周囲に、前記中央表示区域との間及び相互間に所定の大きさの間隙部を設けた状態でマトリックス状に複数個配置された、前記任意の階層の下位の階層に位置付けられたデータを表示する周囲表示区域を有する第１，第２階層画面の、任意の階層画面の各表示区域に、入力装置から「文字や図形」のデータを入力させる手順と、
前記第１階層画面の特定の周囲表示区域又は前記第２階層画面の中央表示区域に、入力装置から「文字や図形」のデータを入力した時に、前記第１階層画面の前記特定の周囲表示区域と前記第２階層画面の中央表示区域との表示内容を同一とし前記第１階層画面の下位の階層に前記第２階層画面を位置づける手順と、
入力装置からの選択指令により、前記第１，第２階層画面の内の任意の階層画面を出力装置に出力する手順と、
をコンピュータに実行させるプログラムを記録した記録媒体において、
前記第１階層画面が前記出力装置に表示されている状態で、前記入力装置により、該第１階層画面の周囲表示区域の全面の任意の位置をクリックすることにより、記憶されている、前記第１階層画面の下位の階層に位置づけられた前記第２階層画面を呼び出して前記出力装置に出力し、又、前記第２階層画面が前記出力装置に表示されている状態で、前記入力装置により、該第２階層画面の中央表示区域の全面の任意の位置をクリックすることにより、記憶されている、前記第２階層画面の上位の階層に位置づけられた前記第１階層画面を呼び出して前記出力装置に出力する手順と、
前記入力装置から関連付け信号の入力により、前記出力装置に出力されている前記各階層画面の前記間隙部に、前記中央表示区域と前記複数の周囲表示区域との連結又は前記周囲表示区域同士の連結を行い、前記中心表示区域と前記周辺表示区域との論理的関係又は前記周辺表示区域同士の論理的関係を表す連結線を出力する手順、及び／又は、前記間隙部に前記周辺表示区域よりも下位の階層が存在することを示す前記周辺表示区域の枠取りを表示する手順とを設けたことを特徴とするマトリックス表示プログラムを記録した記録媒体。
【請求項２】
前記入力装置からの拡大表示信号の入力により、前記出力装置に前記中央表示区域と該中央表示区域の隣接する二辺及び該二辺に挟まれた一頂点のうちいずれかに一辺又は一頂点が隣接する前記計３個の周囲表示区域とをマトリックス状のまま拡大して出力する手順を設けたことを特徴とする請求項１に記載のマトリックス表示プログラムを記録した記録媒体。
【請求項３】
前記入力装置からのガイダンス表示信号により、前記出力装置に、前記各階層画面と、当該各階層画面に対応したガイダンス表示とを同一画面で表示させる手順を設けたことを特徴とする請求項１又は２に記載のマトリックス表示プログラムを記録した記録媒体。
【請求項４】
前記入力装置からの反転信号により、前記出力装置に表示されている前記各表示区域に、文字データとイメージデータとを選択的に出力する手順を設けたことを特徴とする請求項１乃至３の何れか１つに記載のマトリックス表示プログラムを記録した記録媒体。
【請求項５】
前記入力装置からの辞書ファイル検索信号により、前記各階層画面の編集画面上に、外部辞書ファイルを読み出す手順を設けたことを特徴とする請求項１乃至４の何れか１つに記載のマトリックス表示プログラムを記録した記録媒体。
【発明の詳細な説明】
【０００１】
【発明の属する技術分野】
この発明は、中央に１個配置された中央表示区域及び、この中央表示区域の周囲に複数個配置された周囲表示区域をマトリックス状に出力できるマトリックス表示プログラムを記録した記録媒体に関するものである。
【０００２】
【従来の技術】
従来からこの種のものとして、例えば「マンダラート（登録商標）」と称するマトリックス表示装置がある。
【０００３】
これは、中央に１個配置された中央表示区域及び、この中央表示区域の周囲に複数個（計８個）配置された周囲表示区域を有する第１，第２階層画面が選択的に出力装置に出力されるようになっている。
【０００４】
そして、例えば、前記第１階層画面の周囲表示区域に入力装置から「文字」を入力することにより、前記第２階層画面の中央表示区域に同一の「文字」の内容が記憶されるようになっている。
【０００５】
さらに、その両階層画面は、キーボード，マウス並びにポインティングデバイス等からの入力により任意に選択できるようになっている。
【０００６】
このようなものにおいては、例えば、第１階層画面の中央表示区域には、親となる表示内容（中心となるテーマ）を、又、同階層画面の周囲表示区域には、その子となる表示内容（そのテーマに関連する事項）を入力して使用する。また、第２階層画面の中央表示区域には、前記子となる表示内容と同様の内容が記憶されるため、当該第２階層画面の周囲表示区域には、更にその子となる表示内容を入力して使用するようにしている。
【０００７】
【発明が解決しようとする課題】
しかしながら、このような従来のものにあっては、単にマトリックス状の表示を行うことができるだけで、マトリックス状の表示をより効果的に利用できないと共に、操作性も良好なものとは言えなかった。
【０００８】
そこで、この発明は、マトリックス状の階層画面をより効果的に利用できると共に、操作性も良好なものとすることができるマトリックス表示プログラムを記録した記録媒体を提供することを課題としている。
【０００９】
【課題を解決するための手段】
かかる課題を達成するために、請求項１に記載の発明は、予め、記憶されている、中央に１個配置された、任意の階層に位置づけられたデータを表示する中央表示区域及び、該中央表示区域の周囲に複数個、前記中央表示区域との間及び相互間に所定の大きさの間隙部を設けた状態でマトリックス状に配置された、前記任意の階層の下位の階層に位置付けられたデータを表示する周囲表示区域を有する第１，第２階層画面の、任意の階層画面の各表示区域に、入力装置から「文字や図形」のデータを入力させる手順と、該第１階層画面の特定の周囲表示区域又は前記第２階層画面の中央表示区域に、入力装置から「文字や図形」のデータを入力した時に、当該第１階層画面の前記特定の周囲表示区域と前記第２階層画面の中央表示区域との表示内容を同一とし前記第１階層画面の下位の階層に前記第２階層画面を位置づける手順と、入力装置からの選択指令により、前記第１，第２階層画面の内の任意の階層画面を出力装置に出力する手順と、をコンピュータに実行させるプログラムを記録した記録媒体において、前記第１階層画面が前記出力装置に表示されている状態で、前記入力装置により、該第１階層画面の周囲表示区域の全面の任意の位置をクリックすることにより、記憶されている、前記第１階層画面の下位の階層に位置づけられた前記第２階層画面を呼び出して前記出力装置に出力し、又、前記第２階層画面が前記出力装置に表示されている状態で、前記入力装置により、該第２階層画面の中央表示区域の全面の任意の位置をクリックすることにより、記憶されている、前記第２階層画面の上位の階層に位置づけられた前記第１階層画面を呼び出して前記出力装置に出力する手順と、前記入力装置から関連付け信号の入力により、前記出力装置に出力されている前記各階層画面の前記間隙部に、前記中央表示区域と前記複数の周囲表示区域との連結又は前記周囲表示区域同士の連結を行い、前記中心表示区域と前記周辺表示区域との論理的関係又は前記周辺表示区域同士の論理的関係を表す連結線を出力する手順、及び、又は、前記間隙部に前記周辺表示区域が最下位の階層であることを示す前記周辺表示区域の枠取りを表示する手順とを設けたことを特徴とする。
【００１０】
すなわち、図２５に示すように、ステップＳ１で、第１階層画面の周囲表示区域の全面の任意の位置をクリックする。すると、ステップＳ２で、そのクリックされた周囲表示区域と対応する第２階層画面が、記憶されている各階層画面の中から選択される。当該第２階層画面は前記クリックされた周囲表示区域の記載内容が中央表示区域に記載されているものである。そして、ステップＳ３で、その選択された第２階層画面が出力装置に出力されることとなる。
【００１１】
また、図示していないが、第２階層画面の中央表示区域の全面の任意の位置をクリックする。すると、そのクリックされた中央表示区域と対応する第１階層画面が、記憶されている各階層画面の中から選択される。そして、その選択された前記第１階層画面が前記出力装置に出力されることとなる。
【００１３】
さらに、図２６に示すように、ステップＳ１で、関連付け信号が入力されると、ステップＳ２で、この入力された信号の種類に基づき記憶されている関連付けパターンが選択される。そして、ステップＳ３で、出力されている階層画面の中央表示区域と周囲表示区域とがそのパターンに従って連結線で連結されることとなる。
【００１４】
請求項２に記載の発明は、請求項１に記載の手順に加え、前記入力装置からの拡大表示信号の入力により、前記出力装置に前記中央表示区域と前記計３個の周囲表示区域とを拡大して出力する手順を設けたことを特徴とする。
【００１５】
すなわち、図２７に示すように、ステップＳ１で、拡大信号が入力されると、ステップＳ２で、指定された階層画面の中央表示区域と当該階層画面の指定された計３個の周囲表示区域とが選択される。そして、ステップＳ３で、選択された計４つの表示区域が出力装置の画面に表示される。
【００１６】
請求項３に記載の発明は、請求項１又は２に記載の構成に加え、前記入力装置からのガイダンス表示信号により、前記出力装置に、前記各階層画面と、当該各階層画面に対応したガイダンス表示とを同一画面で表示させる手順を設けたことを特徴とする。
【００１７】
すなわち、図２８に示すように、ステップＳ１で、ガイダンス表示信号が入力されると、ステップＳ２で、階層画面に対応したガイダンス表示が記憶されている中から選択される。そして、ステップＳ３で、当該階層画面と当該ガイダンス表示とが出力装置の同一画面に表示されることとなる。
【００１８】
請求項４に記載の発明は、請求項１乃至３の何れか１つに記載の構成に加え、前記入力装置からの反転信号により、前記出力装置に表示されている前記各表示区域に、文字データとイメージデータとを選択的に出力する手順を設けたことを特徴とする。
【００１９】
すなわち、図２９に示すように、ステップＳ１で、反転信号が入力されると、ステップＳ２で、指定された表示区域に対応する文字データ又はイメージデータが読み出される。この際には、出力装置の画面に予め文字データが出力されていれば、これに対応する出力されていないイメージデータを読み出し、反対に、イメージデータが出力されていれば、これに対応する出力されていない文字データを読み出す。そして、ステップＳ３で、出力装置の画面に表示されている文字データ又はイメージデータの代わりに前記読み出した文字データ又はイメージデータが画面に出力されることとなる。
【００２０】
請求項５に記載の発明は、請求項１乃至４の何れか１つに記載の構成に加え、前記入力装置からの辞書ファイル検索信号により、前記各階層画面の編集画面上に、外部辞書ファイルを読み出す手順を設けたことを特徴とする。
【００２１】
すなわち、図３０に示すように、ステップＳ１で、辞書ファイル検索信号が入力されると、ステップＳ２で、指定の外部辞書ファイルが選択される。そして、ステップＳ３で、当該辞書ファイルが階層画面の編集画面上に読み出されることとなる。
【００２２】
【発明の実施の形態】
以下、この発明の実施の形態について説明する。
【００２３】
図１乃至図２４には、この発明の実施の形態を示す。
【００２４】
図１に示すように、入力装置１１からの各種入力信号に基づき、マトリックス表示プログラムを記録した記録媒体１２のプログラムにてコンピュータ１３を制御して出力装置１４に出力するようにしている。
【００２５】
この記録媒体１２によるプログラム制御は以下のように行われる。
【００２６】
すなわち、その記録媒体１２は、図２に示すような第１階層画面１６と、この第１階層画面１６を親とすると、子の関係となる図３に示すような第２階層画面１７とを含む複数の階層画面を予め記憶していると共に、各階層画面１６，１７の格納場所を示すアドレスを含むアドレスリストが格納されている。これら各階層画面１６，１７は、それぞれ中央に１個配置された中央表示区域１６ａ，１７ａ及び、該中央表示区域１６ａ，１７ａの周囲に複数個（計８個）配置された周囲表示区域１６ｂ，１７ｂを有している。より詳しくは、第１階層画面１６の各周囲表示区域１６ｂにそれぞれ対応した数の第２階層画面１７が存在し、これらはそれぞれ一定の対応関係を持って所定のアドレスとしてアドレスリストに格納されている。また、図２では、各周囲表示区域１６ｂの上辺と右辺とに枠取りがなされているのに対し、図３では、各周囲表示区域１７ｂの上辺と右辺とに枠取りがなされていないが、これは図２の周囲表示区域１６ｂには、これより下位の階層が存在するが、図３の周囲表示区域１７ｂには、これより下位の階層が存在しないことを示している。さらに、この第２階層画面１７の各周囲表示区域１７ｂのそれぞれについても対応した数の第３階層画面２３が、更に、第４，第５というように多数の階層画面が階層構造で記憶されているが、ここでの説明では、主に第１，第２階層画面１６，１７を用いて説明する。
【００２７】
そして、第１階層画面１６の周囲表示区域１６ｂに、入力装置１１から「文字や図形」のデータを入力した時に、前記第２階層画面１７の中央表示区域１７ａに、その入力内容と同一の内容が記憶されるようになっている。なお、文字の入力は、入力したい表示区域１６ａ…を１回クリックしてカーソルを移動することにより入力が可能となる。
【００２８】
また、入力装置１１からの選択指令により、前記第１，第２階層画面１６，１７の内の任意の階層画面１６，１７が出力装置１４に出力されるようになっている。
【００２９】
具体的には、例えば図２に示すように、前記第１階層画面１６が前記出力装置１４に表示されている状態で、前記入力装置１１により、該第１階層画面１６の周囲表示区域１６ｂをダブルクリックすることにより、当該周囲表示区域１６ｂと同一内容が中央表示区域１７ａに記憶されている前記第２階層画面１７を呼び出して前記出力装置１４に出力し、又、図３に示すように、前記第２階層画面１７が前記出力装置１４に表示されている状態で、前記入力装置１１により、該第２階層画面１７の中央表示区域１７ａをダブルクリックすることにより、当該中央表示区域１７ａと同一内容が周囲表示区域１６ｂに記憶されている前記第１階層画面１６を呼び出して前記出力装置１４に出力する。
【００３０】
このようにすれば、出力装置１４に表示された各階層画面１６，１７の各表示区域１６ａ，１６ｂ，１７ａ，１７ｂをダブルクリックするだけで、当該表示区域１６ａ，１６ｂ，１７ａ，１７ｂに関連する他の階層画面１６，１７を簡単に表示することができ、操作性が極めて良好である。
【００３１】
また、記録媒体１２は、図４乃至図９に示すように、前記入力装置１１からの関連付け信号の入力により、前記出力装置１４に表示されている前記各階層画面１６，１７の、前記中央表示区域１６ａ,１７ａと、前記複数の周囲表示区域１６ｂ，１７ｂとが連結線２１で連結されて関連付けられるように制御する。なお、図面では、第１階層画面１６のみが示されている。
【００３２】
この実施の形態では、例えば２系列，４系列，４方向，８方向，時系列，３並列等の関連付けができるようになっており、２系列では、図５に示すように、中央表示区域１６ａを中心として右回りに連結線２１で各周囲表示区域１６が連結され、４系列では図６、４方向では図７、８方向では図８、そして、時系列では図９に示すように連結線２１で連結されて関連付けられる。なお、３並列とは、図示していないが、９個のマトリックス状に並んだ各表示区域１６ａ…の行方向の３つが連結線２１で連結されることにより、３列が平行に並ぶようにしたものである。
【００３３】
このように、中央表示区域１６ａ，１７ａと周囲表示区域１６ｂ，１７ｂとには、それぞれ中央表示区域１６ａ，１７ａにいわゆる親の表示内容を、又、周囲表示区域１６ｂ，１７ｂにいわゆるその子となる表示内容を表示するようにして使用するが、更に、その親に対して、各子同士がどのような関係にあるのか、例えば子同士にも縦系列の関係等がある場合があり、かかる関係に応じて、中央表示区域１６ａ，１７ａから複数の周囲表示区域１６ｂ，１７ｂを連結して関連付けることにより、その関係を容易に認識することができ、マトリックス状の表示をより有効に利用することができる。
【００３４】
また、記録媒体１２は、図１０及び図１１に示すように、前記入力装置１１からの入力信号により、前記出力装置１４に表示されている前記各階層画面１６，１７をいわゆるツリー構造に出力するように制御する。
【００３５】
例えば、図１０中、８セルツリーマップを入力装置１１により選択すると、図１１に示すような表示がなされる。すなわち、図１１中、画面上右側半分には第１階層画面１６が表示され、左側半分には第１，第２階層画面１６，１７の各表示区域１６ａ…がツリー構造として表示される。このツリー構造と第１階層画面１６等との関係は、ここでは第１階層画面１６の各表示区域１６ａ…が連結線２１で時系列に連結されて関連付けられているため、これに対応したツリー構造が形成されている。ちなみに、第１階層画面１６が図７に示すような４方向の関連付けである場合には、連結線２１で連結されて関連付けられた表示区域１６ａ…がツリー構造に表れ、他の表示区域１６ｂ…は表示されない。このように連結線２１で関連付けられた各階層画面１６,１７の各表示区域１６ａ…をツリー構造とすることで、複数の階層画面１６，１７の関連を即座に認識することが出来る。
【００３６】
さらに、図１２に示すように、入力装置１１から２階層展開マップを選択すると、図１２中、右側に表れている画面が第１階層画面１６であるとすると、図１２中、左側には、当該第１階層画面１６と中心として、その周囲に、呼び出された下位の層である第２階層画面１７が出力される。このようにしても、複数の階層画面１６，１７の関連を即座に認識することが出来る。
【００３７】
これらの表示は、画面を上記のように２分割して表示することもできるし、もっと多く分割して表示することもできる。
【００３８】
さらにまた、記録媒体１２は、図１３に示すように、前記入力装置１１からの拡大表示信号の入力により、前記表示装置１４に前記中央表示区域１６ａ，１７ａと前記計３個の周囲表示区域１６ｂ，１７ｂとを出力するように制御する。この場合には、どの区域が中央表示区域１６ａ，１７ａなのかを判別できるようにするため、中央表示区域１６ａ，１７ａの右辺と底辺とに枠取りが表示される。
【００３９】
この図１３では、第２階層画面１７の内の左上の４つの表示区域１７ａ，１７ｂが出力されている。勿論、他の位置の４つのものも自由に選択して出力できる。
【００４０】
このように、計４個の表示区域１６ａ…を表示できるようにして、拡大することにより、見や易くすると共に、中央表示区域１６ａ,１７ａを表示することにより、親と子の関係を常に認識でき、中央表示区域１６ａ,１７ａに表示されている内容から離れることなく思考を進めることが出来る。
【００４１】
また、出力装置１４に例えば第１階層画面１６が表示されている状態で、入力装置１１からガイダンス表示信号を入力すると、記録媒体１２にて、前記出力装置１４には、図１４に示すように、その第１階層画面１６が図中右側半分に縮小されて出力されると共に、この第１階層画面１６に対応したガイダンス表示１９がアドレスリストにより検索されて、出力装置１４の図中左側半分に出力される。
【００４２】
このガイダンス表示１９には、第１階層画面１６の各表示区域１６ａ，１６ｂと同じものが表示されると共に、これらの下側には、ガイダンス領域１９ａが表示される。このガイダンス領域１９ａには、周囲が枠取りされた上記各表示区域１６ａ,１６ｂに対応したガイダンスが表示される。図１４では、「開発技術の有利な効果」と記載されて枠取りされた周囲表示区域１６ｂが指定されているため、この区域１６ｂに対応したガイダンス（「１．このカードを開いて……有利なものを選択します。」）が表示されている。その区域１６ａ,１６ｂの指定は自由に行うことが出来、指定された各区域１６ａ,１６ｂに対応したガイダンスが、アドレスリストから呼び出されてガイダンス領域１９ａに表示される。勿論、第２階層画面１７等の場合も同様である。
【００４３】
このように出力装置１４の同一画面上に、任意の階層画面１６，１７と、これに対応したガイダンス表示１９とを表示できるため、作業者は、そのガイダンスを見ながら、第１階層画面１６における編集作業を行うことができるため、作業性が良好である。
【００４４】
さらに、記録媒体１２は、入力装置１１からの反転信号により、前記出力装置１４に出力された前記各表示区域１６ａ…に、文字データとイメージデータとを選択的に表示するように制御する。
【００４５】
この実施の形態では、図１５に示すように、第３階層画面２３の周囲表示区域２３ｂには、文字データが表示されており、かかる任意の区域２３ｂを指定し、「Ｃｔｌ＋Ｄ」を入力することで、図１６に示すように、それに対応するイメージデータが呼び出されて出力装置１４に表示される。
【００４６】
このように、文字データとこれに関連したイメージデータとを表裏の関係で表示することができ、使い易く、且つ、狭いスペースを有効に利用することができる。
【００４７】
また、入力装置１１からイメージデータを印刷する印刷指令信号が入力されると、記録媒体１２では、その信号により、図１７に示すように、イメージデータが印刷されると共に、この上に文字データの上の２行が印刷される。これにより、イメージデータが何に関するものなのか認識できる。
【００４８】
さらに、記録媒体１２は、入力装置１１から辞書ファイル検索信号が入力されると、前記各階層画面１６，１７，２３等の編集作業中に、外部辞書ファイルを読み出して出力装置１４に表示でき、各階層画面１６，１７，２３を閉じることなく、外部辞書ファイルを検索しながら編集作業を行うことができる。
【００４９】
図１８に示すように、外部辞書ファイルを選択し、「冶金」を検索すると、図１９に示すように、「やきん」に関する辞書が出力される。
【００５０】
また、図２０に示すように、他の外部辞書ファイルを選択し、「位置」を検索すると、図２１に示すように、「位置」に関する意味、及び「位置」の類語検索が出力される。
【００５１】
さらに、記録媒体１２は、前記各階層画面１６，１７，２３等の編集作業中に、任意の「文字」が前記各階層画面１６，１７，２３の各表示区域１６ａ…の何処に表示されているのか検索できる。
【００５２】
すなわち、図２２に示すように、「技術」を検索すると、この「技術」の文字が、どのように表示されているか、又、どこの階層に表示されているか、ここでは「技術的概念ガイド技術的概念の表…」と表示され、階層１に表示されていることが分かる。
【００５３】
一方、入力装置１１により、アウトライン表示が設定されると、記録媒体１２により、アウトライン設定が呼び出されて、図２３に示すように表示される。ここで、段落の先頭に添付するタイプを選択すると、図２４に示すように、出力装置１４の画面の左側に、第２階層画面１７の各表示区域１７ａ，１７ｂの文章が番号（１  １．１  １．２…）と共に箇条書きに出力される。これをワープロソフト等で編集することもできる。
【００５４】
また、反対に、箇条書きの一文の形のものに、一定の条件で番号等（１  １．１  １．２…）を付すことにより、このデータを階層画面１６，１７，２３の表示に変換することもできる。
【００５５】
なお、上記実施の形態では、各階層画面として、１つの中央表示区域の周囲に計８個の周囲表示区域が設けられているが、これに限らず、図３１に示すように、一つの中央表示区域Ａの周囲に計１０個の周囲表示区域１，２…を設けることもできる。また、図３２の（ａ）の状態から（ｂ）の状態まで、周囲表示区域１，２…を中央表示区域Ａを中心として時計回りに回転させるようにして位置を変えるようにしたり、上下の行又は左右の列を入れ替える（図示せず）ようにすることで、使用者の思考の観点を切り替えるといった試みが可能となる。
【００５６】
【発明の効果】
以上説明してきたように、請求項１に記載の発明によれば、第１階層画面が出力装置に表示されている状態で、入力装置により、第１階層画面の周囲表示区域の全面の任意の位置をクリックすることにより、記憶されている、第１階層画面の下位の階層に位置づけられた第２階層画面を呼び出して出力装置に出力し、又、第２階層画面が前記出力装置に表示されている状態で、入力装置により、第２階層画面の中央表示区域の全面の任意の位置をクリックすることにより、記憶されている、第２階層画面の上位の階層に位置づけられた第１階層画面を呼び出して出力装置に出力する手順を設けることにより、各階層画面の表示を各表示区域の全面の任意の位置をクリックするだけで、当該表示区域に関連する他の階層画面を簡単に表示することができ、操作性を極めて良好にできる。つまり、各表示区域の特定の箇所又は各表示区域外の特定の箇所をクリックする必要がないため、データの入力 階層移動 データの入力といった一連の操作が迅速円滑に行うことができる。
【００５７】
また、請求項１に記載の発明によれば、入力装置から関連付け信号の入力により、出力装置に出力されている各階層画面に、中央表示区域と複数の周囲表示区域とを連結する、前記中心表示区域と前記周辺表示区域との論理的関係又は前記周辺表示区域同士の論理的関係を表す連結線を出力する手順を設けることにより、中央表示区域と周囲表示区域とには、それぞれ中央表示区域にいわゆる親の表示内容を、又、周囲表示区域にいわゆるその子となる表示内容を表示するようにして使用するが、更に、その親に対して、各子同士がどのような関係にあるのか、例えば子同士にも縦系列の関係等がある場合があり、かかる関係に応じて、中央表示区域から複数の周囲表示区域を連結することにより、その関係を容易に認識することができ、マトリックス状の表示をより有効に利用することができる。
【００５８】
請求項２に記載の発明によれば、上記効果に加え、入力装置からの拡大表示信号の入力により、出力装置に中央表示区域と計３個の周囲表示区域とを拡大して出力する手順を設けることにより、４個の表示区域を表示できるようにして、拡大することにより、見や易くすると共に、中央表示区域を表示することにより、親と子の関係を常に認識でき、中央表示区域に表示されている内容から離れることなく思考を進めることが出来る。
【００５９】
請求項３に記載の発明によれば、上記効果に加え、入力装置からのガイダンス表示信号により、出力装置に、各階層画面と、当該各階層画面に対応したガイダンス表示とを同一画面で表示させる手順を設けることにより、各階層画面と当該階層画面に対応するガイダンス表示とを同一画面で表示可能とすることにより、ガイダンス表示を見ながら、各階層画面での編集作業を行うことができ、作業性を良好にできる。
【００６０】
請求項４に記載の発明によれば、上記効果に加え、入力装置からの反転信号により、出力装置に表示されている各表示区域に、文字データとイメージデータとを選択的に出力する手順を設けることにより、文字データとこれに関連したイメージデータとを表裏の関係で表示することができ、使い易く、且つ、狭いスペースを有効に利用することができる。
【００６１】
請求項５に記載の発明によれば、上記効果に加え、入力装置からの辞書ファイル検索信号により、各階層画面の編集画面上に、外部辞書ファイルを読み出す手順を有することにより、前記各階層画面の編集作業中に、外部辞書ファイルを検索可能とすることで、編集作業を中断して閉じ、外部辞書ファイルを開いて検索し、再度、当該階層画面を開いて編集作業を行う必要なく、作業性を良好にできる、という実用上有益な効果を発揮する。
【図面の簡単な説明】
【図１】この発明の実施の形態を示すブロック図である。
【図２】同実施の形態に係る第１階層画面を示す出力装置の画面の図である。
【図３】同実施の形態に係る第２階層画面を示す出力装置の画面の図である。
【図４】同実施の形態に係る第１階層画面を示す関連付けを行う際の出力装置の画面の図である。
【図５】同実施の形態に係る２系列の関連付けを行った状態の出力装置の画面の図である。
【図６】同実施の形態に係る４系列の関連付けを行った状態の出力装置の画面の図である。
【図７】同実施の形態に係る４方向の関連付けを行った状態の出力装置の画面の図である。
【図８】同実施の形態に係る８方向の関連付けを行った状態の出力装置の画面の図である。
【図９】同実施の形態に係る時系列の関連付けを行った状態の出力装置の画面の図である。
【図１０】同実施の形態に係るツリー構造の出力を行う際の出力装置の画面の図である。
【図１１】同実施の形態に係るツリー構造の出力した状態の出力装置の画面の図である。
【図１２】同実施の形態に係る２階層を同時に出力した状態の出力装置の画面の図である。
【図１３】同実施の形態に係る４つの表示区域を拡大して出力した状態の出力装置の画面の図である。
【図１４】同実施の形態に係るガイダンス表示が出力された状態の出力装置の画面の図である。
【図１５】同実施の形態に係る第３階層画面の各表示区域に文字データが出力された状態の出力装置の画面の図である。
【図１６】同実施の形態に係る第３階層画面の各表示区域にイメージデータが出力された状態の出力装置の画面の図である。
【図１７】同実施の形態に係る各表示区域のイメージデータを印刷した状態の図である。
【図１８】同実施の形態に係る「やきん」の辞書を開く場合の出力装置の画面の図である。
【図１９】同実施の形態に係る「やきん」に関する外部辞書ファイルを開いた状態の出力装置の画面の図である。
【図２０】同実施の形態に係る「位置」の類語検索を行う場合の出力装置の画面の図である。
【図２１】同実施の形態に係る「位置」の類語検索を行った場合における出力装置の画面の図である。
【図２２】同実施の形態に係る各階層画面における「技術」の位置検索を行った場合における出力装置の画面の図である。
【図２３】同実施の形態に係るアウトラインの設定を行う場合における出力装置の画面の図である。
【図２４】同実施の形態に係るアウトライン表示を行った場合における出力装置の画面の図である。
【図２５】請求項１に記載の発明に対応するフローチャートである。
【図２６】請求項２に記載の発明に対応するフローチャートである。
【図２７】請求項３に記載の発明に対応するフローチャートである。
【図２８】請求項４に記載の発明に対応するフローチャートである。
【図２９】請求項５に記載の発明に対応するフローチャートである。
【図３０】請求項６に記載の発明に対応するフローチャートである。
【図３１】階層画面の変形例を示す図である。
【図３２】階層画面の各周囲表示区域を移動させる状態を示す図である。
【符号の説明】
11  入力装置
12  記録媒体
13  コンピュータ
14  出力装置
16  第１階層画面
16a 中央表示区域
16b 周囲表示区域
17  第２階層画面
17a 中央表示区域
17b 周囲表示区域
19  ガイダンス表示
21  連結線
23  第３階層画面
23b 周囲表示区域
【図１】
0003841327.tif 000002
【図２】
0003841327.tif 000003
【図３】
0003841327.tif 000004
【図４】
0003841327.tif 000005
【図５】
0003841327.tif 000006
【図６】
0003841327.tif 000007
【図７】
0003841327.tif 000008
【図８】
0003841327.tif 000009
【図９】
0003841327.tif 000010
【図１０】
0003841327.tif 000011
【図１１】
0003841327.tif 000012
【図１２】
0003841327.tif 000013
【図１３】
0003841327.tif 000014
【図１４】
0003841327.tif 000015
【図１５】
0003841327.tif 000016
【図１６】
0003841327.tif 000017
【図１７】
0003841327.tif 000018
【図１８】
0003841327.tif 000019
【図１９】
0003841327.tif 000020
【図２０】
0003841327.tif 000021
【図２１】
0003841327.tif 000022
【図２２】
0003841327.tif 000023
【図２３】
0003841327.tif 000024
【図２４】
0003841327.tif 000025
【図２５】
0003841327.tif 000026
【図２６】
0003841327.tif 000027
【図２７】
0003841327.tif 000028
【図２８】
0003841327.tif 000029
【図２９】
0003841327.tif 000030
【図３０】
0003841327.tif 000031
【図３１】
0003841327.tif 000032
【図３２】
0003841327.tif 000033